(57)【要約】      （修正有）【課題】従来のローラーマッサージトレーニング器具における欠点を解決し、両球型ローラーマッサージトレーニング器具を提供する。【解決手段】両球型ローラーマッサージトレーニング器具１０は一体成型した二つの球状部１１と内縮部１２とを含む。当該二つの球状部１１はそれぞれ当該内縮部１２の両端に形成される。また当該球状部１１の体積は当該内縮部１２の体積より大きく、そして当該トレーニング器具１０は当該球状部１１と当該内縮部１２によって完全密封の気嚢空間１３が形成される。当該球状部１１と当該内縮部１２の外表面にすべて複数のマッサージ突起１４が分布され、また当該トレーニング器具１０は当該密封状の気嚢空間１３によって制御可能な弾性変形が形成されるため、転がしてマッサージする時は自主的に当該球状部１１と当該内縮部１２の押圧弾力を調節できる。【選択図】図２
0003212559.tif 000002
【実用新案登録請求の範囲】
【請求項１】
一体成型した二つの球状部と内縮部とを含む両球型ローラーマッサージトレーニング器具であって、上記二つの球状部はそれぞれ上記内縮部の両端に形成され、上記球状部の体積は上記内縮部の体積より大きく、また上記トレーニング器具は上記球状部と上記内縮部によって完全密封の気嚢空間が形成され、また上記球状部と上記内縮部の外表面にすべて複数のマッサージ突起が分布され、上記トレーニング器具は上記密封状の気嚢空間によって制御可能な弾性変形が形成されるため、転がしてマッサージする時は自主的に上記球状部と上記内縮部の押圧弾力を調節できることを特徴とする両球型ローラーマッサージトレーニング器具。
【請求項２】
上記マッサージ突起は半円状であることを特徴とする請求項１の両球型ローラーマッサージトレーニング器具。
【請求項３】
上記トレーニング器具の上記二つの球状部の体積は同じであることを特徴とする請求項１の両球型ローラーマッサージトレーニング器具。
【請求項４】
上記球状部と上記内縮部は弧面状に連続延伸されることを特徴とする請求項１の両球型ローラーマッサージトレーニング器具。
【考案の詳細な説明】
【技術分野】
【０００１】
本考案はマッサージトレーニング器具に関し、特に弾力機能を調節できる両球型ローラーマッサージトレーニング器具に関する。
【背景技術】
【０００２】
従来のローラーマッサージトレーニング器具は硬質のグリップがあり、当該硬質グリップの両端にすべて棒体が凸設される。また当該硬質グリップは使用者が握るために提供され、そして当該二本の棒体の延伸端にすべて弾性ボールが設けられ、当該弾性ボールの表面に複数の突起が満ちる。当該トレーニング器具のグリップを動かせることでボールが身体部位に転がされてマッサージになる。しかし、上述の従来構造を詳しく観察すれば、まだ不足する部分があるのは分かる。主な原因は以下のように、当該トレーニング器具の構成パーツが多い上、少なくとも二種類の異なる材料から混合して製作されるため、生産コストが高く、また当該トレーニング器具は弾性マッサージ機能しか提供されず、使用者は需要によって自分で弾力の強弱が調整できない。また当該マッサージ部位は弾性ボールの位置に限定されるため、トレーニング器具は身体の特定部位にしか使えず、実用性不足の欠点がある。
【０００３】
従って、本考案者は長年にわたって関係商品の製造開発と設計に携わった経験により、上述の目標について緻密に設計した上で、かつ慎重に検討した後、実用性に満ちた本考案を得た。
【考案の概要】
【考案が解決しようとする課題】
【０００４】
現在技術における上述の欠点を解決し、両球型ローラーマッサージトレーニング器具を提供する。
【課題を解決するための手段】
【０００５】
本考案の両球型ローラーマッサージトレーニング器具は一体成型した二つの球状部と内縮部とを含む。当該二つの球状部はそれぞれ当該内縮部の両端に形成される。また当該球状部の体積は当該内縮部の体積より大きく、そして当該トレーニング器具は当該球状部と当該内縮部によって完全密封の気嚢空間が形成される。当該球状部と当該内縮部の外表面にすべて複数のマッサージ突起が分布され、また当該トレーニング器具は当該密封状の気嚢空間によって制御可能な弾性変形が形成される。
【０００６】
当該マッサージ突起は半円状である。
【０００７】
当該トレーニング器具の二つの球状部の体積が同じである。
【０００８】
当該球状部と当該内縮部は弧面状に連続延伸される。
【０００９】
本考案の第一主要の目的は、当該トレーニング器具が一体成型した中段の内縮部と両端の球状部とを含むこれによって、両端の球体の体積は中央の体積より大きいトレーニング器具が形成される。また当該トレーニング器具の気嚢空間は完全密封状に当該球状部と当該内縮部に形成されるため、当該トレーニング器具は押すことで変形する適度な弾性がある。当該トレーニング器具の内縮部を押すことで気嚢空間の気体が両端の球状部までに入り、球状部は使用者が施した力の強弱によって弾力が調節される。そして両端の球状部を押すことで内部の気体は当該トレーニング器具の内縮部に入り、次第に当該球状部のマッサージ突起が身体に対するマッサージの力加減が強められ、また当該トレーニング器具は同じ材質より一体成型されるため、生産コストを下げる効果もあり、実用性が高められる。
【図面の簡単な説明】
【００１０】
【図１】図１は、本考案に係る両球型ローラーマッサージトレーニング器具を示す立体図である。
【図２】図２は、本考案に係る両球型ローラーマッサージトレーニング器具を示す断面図である。
【図３】図３は、本考案に係る両球型ローラーマッサージトレーニング器具の使用状態を示す図（一）である。
【図４】図４は、本考案に係る両球型ローラーマッサージトレーニング器具の使用状態を示す図（二）である。
【図５】図５は、本考案に係る両球型ローラーマッサージトレーニング器具の使用状態を示す図（三）である。
【考案を実施するための形態】
【００１１】
まず、図１と図２を参照されたい。本考案の両球型ローラーマッサージトレーニング器具はトレーニング器具１０が一体成型した二つの球状部１１と内縮部１２とを含む。当該トレーニング器具１０の当該球状部１１は当該内縮部１２の両端に形成される。また当該球状部１１と当該内縮部１２は弧面状に連続延伸される。当該球状部１１の体積は当該内縮部１２の体積より大きく、また当該トレーニング器具１０の二つの球状部１１の体積が同じである。そして当該トレーニング器具１０は当該球状部１１と当該内縮部１２によって完全密封の気嚢空間１３が構成される。また当該球状部１１と当該内縮部１２の外表面にすべて複数のマッサージ突起１４が分布され、当該マッサージ突起１４は半円状である。当該トレーニング器具１０は当該密封状の気嚢空間１３によって制御可能な弾性変形が形成されるため、転がしてマッサージする時は自主的に当該球状部１１と当該内縮部１２の押圧弾力が調節される。
【００１２】
実際に使用する状況は引き続き図１と図２を参照されたい。当該トレーニング器具１０は一体成型した中段の内縮部１２と両端の球状部１１が形成される。これによって、両端の球体の体積は中央の体積より大きいトレーニング器具１０が形成される。また当該トレーニング器具１０の気嚢空間１３は完全密封状に当該球状部１１と当該内縮部１２に形成されるため、当該トレーニング器具１０は押すことで変形する適度な弾性がある。当該トレーニング器具１０の内縮部１２を押すことで気嚢空間１３の気体が両端の球状部１１までに入り、球状部１１は使用者が施した力の強弱によって弾力が調節され、次第に当該球状部１１のマッサージ突起１４が身体に対するマッサージの力加減が強められる。反対に両端の球状部１１を押すことで内部の気体は当該トレーニング器具１０の内縮部１２に入り、これによってマッサージの力加減を制御できる使用効果が得られる。また当該トレーニング器具１０は同じ材質より一体成型されるため、生産コストを下げる効果もあり、実用性が高められる。さらに詳しい説明は図３に示されるように、使用者が足で当該トレーニング器具１０の内縮部１２を踏んで、さらに当該トレーニング器具１０を前後に動かすと、当該トレーニング器具１０のマッサージ突起１４は足底をマッサージできると同時に当該足に対する押す力加減が強ければ強いほど、当該内縮部１２の位置にある気体は両端の球状部１１に充填できるため、球状部１１の弾性を弱らせ、さらに球状部１１が足の両側に対するマッサージの力加減が強められることで足のツボに対するマッサージ効果が高められる。引き続き図４に示されるように、当該トレーニング器具１０は使用者の後頸部にも置けて、当該球状部１１と内縮部１２の曲線外形によって完全に後頸部にぴったりとなり、動かしてマッサージすることで血流の流れを良くさせる効果が得られる。さらに適度に当該球状部１１又は内縮部１２を押すことで当該トレーニング器具１０の弾性変形を制御できる。当該トレーニング器具１０にある密封状の気嚢空間１３は押される時に表面の変形量を下げることが制御できるため、使用者が需要によって最も適切なマッサージの力加減に調節できる。また図５に示されるように、当該トレーニング器具１０は手で持つことができる。また当該トレーニング器具１０は内縮部１２の両端に拡大状の球状部１１が形成されるため、手でしっかりトレーニング器具１０を握ることができる。さらに手で力を加えて当該内縮部１２を押し、そして当該トレーニング器具１０にある密封状の気嚢空間１３を利用してはねかえる力が十分に提供される。これによって、手の握力を鍛えるトレーニング目的が達成できる。以上をまとめると、本考案のトレーニング器具１０は使用者に合わせて多種多様なマッサージトレーニングが行われるため、使用状態は上述実施例に限られない。
【００１３】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１４】
１０        トレーニング器具
１１        球状部
１２        内縮部
１３        気嚢空間
１４        マッサージ突起
【図１】
0003212559.tif 000003
【図２】
0003212559.tif 000004
【図３】
0003212559.tif 000005
【図４】
0003212559.tif 000006
【図５】
0003212559.tif 000007